(57)【要約】【課題】リジェクトカード回収庫のカード投入口からのリジェクトカードの盗難を防止する。【解決手段】リジェクトカード回収庫１１のカード投入口１１ａを開閉可能なシャッタ部材１２と、シャッタ部材１２をロックおよびロック解除するロック部材１３と、リジェクトカード回収庫１１にスライド自在に配設され、ロック部材１３をロックおよびロック解除する複数のキー側操作部材１５と、カード発行機１に設けられ、各キー側操作部材１５に当接することで、各キー側操作部材１５を、ロック部材１３のロック解除位置までスライドさせるキー部材２とを備えた。よって、リジェクトカード回収庫１１のカード投入口１１ａからのリジェクトカードの盗難を防止できる。【選択図】　　　　図１
2004044249.tif 000002
【特許請求の範囲】
【請求項１】
カードを発行するカード発行機能を有するカード発行機に設けられたリジェクトカード回収庫のシャッタロック機構において、
前記リジェクトカード回収庫に形成されたカード投入口を開閉可能なシャッタ部材と、
前記リジェクトカード回収庫に設けられ、前記シャッタ部材をロックおよびロック解除するロック部材と、
前記リジェクトカード回収庫にスライド自在に配設され、前記ロック部材をロックおよびロック解除する複数のキー側操作部材と、
前記カード発行機に設けられ、前記各キー側操作部材に当接することで、これらのキー側操作部材を、前記ロック部材のロック解除位置までそれぞれスライドさせるキー部材とを備えたことを特徴とするリジェクトカード回収庫のシャッタロック機構。
【請求項２】
前記キー部材には、前記各キー側操作部材との当接部分に、該各キー側操作部材を、前記ロック部材のロック解除位置までそれぞれスライドさせるロック解除起伏部が設けられたことを特徴とする請求項１記載のリジェクトカード回収庫のシャッタロック機構。
【請求項３】
前記キー部材とは異なる位置に、前記ロック部材のロック解除後、該ロック部材をシャッタ部材のロック解除位置まで移動させるロック解除体を設けたことを特徴とする請求項１または２記載のリジェクトカード回収庫のシャッタロック機構。
【請求項４】
前記シャッタ部材と前記ロック部材との間には、該ロック部材のロック解除方向への過剰移動時に、該ロック部材が前記シャッタ部材に掛止される過剰移動掛止構造が設けられたことを特徴とする請求項１から３のいずれか記載のリジェクトカード回収庫のシャッタロック機構。
【請求項５】
前記ロック部材には、前記シャッタ部材のロック部分を有し、前記シャッタ部材をロック可能な通常位置と、該通常位置から所定角度だけ離間した退避位置との間で回動自在な回動掛止部材が軸支され、
前記ロック部材と回動掛止部材との間には、該回動掛止部材を、常時、前記通常位置に向かって付勢する復帰ばねが介在されたことを特徴とする請求項１から４のいずれか記載のリジェクトカード回収庫のシャッタロック機構。
【発明の詳細な説明】
【０００１】
【発明の属する技術分野】
本発明は、カード発行機におけるリジェクトカード回収庫に関する。更に詳述すると、本発明はカード発行機から排出される不要なカードまたは回収すべきカード（以下、リジェクトカード）を収納するリジェクトカード回収庫のシャッタロック機構に関するものである。
【０００２】
【従来の技術】
従来、カード発行機は、カードを発行するカード発行機能を備えたカード発行機を本体とし、このカード発行機には、不要なリジェクトカードを収納するリジェクトカード回収庫が付設されている。カード回収時には、カード発行機からリジェクトカード回収庫を取り出し、リジェクトカード回収庫の回収ドアを鍵（キー構造）により開き、開口したカード回収口よりリジェクトカードを抜き出していた。また、リジェクトカード回収庫には、カード投入口にシャッタが設けられており、そのシャッタは、リジェクトカード回収庫がカード発行機にセットされた時、このカード発行機の機体内に設けられたキー部材により、はじめて開状態となるものであった。
【０００３】
【発明が解決しようとする課題】
しかしながら、上述したリジェクトカード回収庫においては、外部に取り出した際、カード回収口からのリジェクトカードの盗難は防止することができる。ところが、カード投入口を開閉するシャッタには、シャッタロック機構が設けられていなかった。そのため、シャッタが容易に開けられ、この回収庫内に収納されたリジェクトカードが盗まれるという問題点があった。
【０００４】
本発明は、リジェクトカード回収庫のカード投入口からリジェクトカードを盗み出すことができないリジェクトカード回収庫のシャッタロック機構を提供することを目的とする。
【０００５】
また、本発明は、故意にシャッタを開けた状態でリジェクトカード回収庫をカード発行機から取り出しても、シャッタの閉蓋障害が解除されると、自動的にシャッタを閉じることができるリジェクトカード回収庫のシャッタロック機構を提供することを目的する。
さらに、シャッタ部材のロック解除をより複雑化することで、ピッキングなどによるカード盗難を防止することができるリジェクトカード回収庫のシャッタロック機構を提供することを目的とする。
【０００６】
【課題を解決するための手段】
かかる目的を達成するため、請求項１記載の発明にかかるリジェクトカード回収庫のシャッタロック機構は、カードを発行するカード発行機能を有するカード発行機に設けられたリジェクトカード回収庫のシャッタロック機構において、リジェクトカード回収庫に形成されたカード投入口を開閉可能なシャッタ部材と、リジェクトカード回収庫に設けられ、シャッタ部材をロックおよびロック解除するロック部材と、リジェクトカード回収庫にスライド自在に配設され、ロック部材をロックおよびロック解除する複数のキー側操作部材と、カード発行機に設けられ、各キー側操作部材に当接することで、これらのキー側操作部材を、ロック部材のロック解除位置までそれぞれスライドさせるキー部材とを備えるようにしている。
【０００７】
したがって、リジェクトカード回収庫にカード投入口を開閉するシャッタ部材を設けたので、カード投入口からのリジェクトカードの盗難を防止することができる。
【０００８】
さらに、シャッタ部材のロック機構として、シャッタ部材のロック部材と、このロック部材のロック操作用の複数のキー側操作部材と、各キー側操作部材をロック解除位置までスライドさせるキー部材とを備えたものを採用したので、シャッタ部材のロック機構が複雑化し、このリジェクトカード回収庫のセキュリティ性を高めることができる。
【０００９】
また、請求項２記載の発明は、請求項１記載のリジェクトカード回収庫のシャッタロック機構において、キー部材には、各キー側操作部材との当接部分に、各キー側操作部材を、ロック部材のロック解除位置までそれぞれスライドさせるロック解除起伏部を設けるようにしている。
【００１０】
したがって、リジェクトカード回収庫をカード発行機にセットすると、キー部材のロック解除起伏部が作用して、各キー側操作部材をロック部材のロック解除位置までそれぞれスライドさせる。これにより、簡素化された低コストな構造で、ロック部材がロック解除され、シャッタ部材のロック状態を解除することができる。
【００１１】
さらに、請求項３記載の発明は、請求項１または２記載のリジェクトカード回収庫のシャッタロック機構において、キー部材とは異なる位置に、ロック部材のロック解除後、ロック部材をシャッタ部材のロック解除位置まで移動させるロック解除体を設けるようにしている。
【００１２】
したがって、キー部材とは異なる位置にロック解除体を設けたので、キー部材とロック解除体との配置を変えるだけで、カード発行機側のキーの形状を変更することができる。その結果、カード発行機の納入先に応じた仕様を提供することができる。
【００１３】
また、キー部材によりロック部材をロック状態を解除した後、キー部材とは別個のロック解除体により、ロック部材をロック解除位置まで移動させなければシャッタ部材のロック状態を解除することができない。これにより、シャッタ部材のロック機構がより複雑化し、リジェクトカード回収庫のセキュリティ性を高めることができる。
【００１４】
そして、請求項４の発明は、請求項１から３のいずれか記載のリジェクトカード回収庫のシャッタロック機構において、シャッタ部材とロック部材との間には、ロック部材のロック解除方向への過剰移動時に、ロック部材がシャッタ部材に掛止される過剰移動掛止構造を設けるようにした。
【００１５】
したがって、例えばピッキング時など、ロック部材がシャッタ部材のロック解除位置を超えて過剰移動すると、過剰移動掛止構造によりロック部材がシャッタ部材に掛止される。これにより、シャッタ部材のロック機構がさらに複雑化し、カードの盗難防止の効果を高めることができる。
【００１６】
さらにまた、請求項５記載の発明は、請求項１から４のいずれか記載のリジェクトカード回収庫のシャッタロック機構において、ロック部材には、シャッタ部材のロック部分を有し、シャッタ部材をロック可能な通常位置と、通常位置から所定角度だけ離間した退避位置との間で回動自在な回動掛止部材が軸支され、ロック部材と回動掛止部材との間には、回動掛止部材を、常時、通常位置に向かって付勢する復帰ばねが介在されるようにしている。
【００１７】
したがって、カード発行機からリジェクトカード回収庫を取り出す際に、例えばカード投入口に指などを挿入して取り出すと、シャッタ部材がロックされない状態でロック部材がロック位置に移動する。したがって、その後は指などをカード投入口から引き抜けば、シャッタ部材を簡単に開けることができる。しかしながら、ロック部材には復帰ばねにより付勢された回動掛止部材が存在する。そのため、指などをカード投入口から外すと、シャッタ部材がロック部分に押し当てられる力により、復帰ばねのばね力に抗して回動掛止部材がいったん退避位置へと退避し、シャッタ部材の被ロック部分をかわした後、さらに復帰ばねのばね力により回動掛止部材が通常位置まで復帰する。これにより、ロック部材のロック部分によりシャッタ部材の被ロック部分がロックされる。
【００１８】
その結果、故意にシャッタ部材を開けた状態でリジェクトカード回収庫をカード発行機から取り出しても、シャッタ部材の閉蓋障害が解除されると、自動的にシャッタ部材を閉じることができる。
【００１９】
【発明の実施の形態】
以下、本発明の構成を図面に示す実施形態に基づいて詳細に説明する。なお、説明の都合上、カード発行機の機長方向をＸ方向、機幅方向をＹ方向、高さ方向をＺ方向とする。
【００２０】
図１から図９に、本発明のリジェクトカード回収庫のシャッタロック機構の一実施形態を示す。
【００２１】
カードを発行するカード発行機能を有するカード発行機１に設けられたリジェクトカード回収庫のシャッタロック機構１０は、例えば図１に示すようにリジェクトカード回収庫１１に形成されたカード投入口１１ａを開閉可能なシャッタ（シャッタ部材）１２と、そのシャッタ１２をロックおよびロック解除するロックレバー（ロック部材）１３と、リジェクトカード回収庫１１の上板１４の内面に取り付けられた複数のキースライド板（キー側操作部材）１５と、カード発行機１に設けられたキー（キー部材）２と、キー２とは異なる位置に設けられ、ロックレバー１３をシャッタ１２のロック解除位置まで移動させるロックレバー解除ピン（ロック解除体）３により構成されている。
【００２２】
図３から図５に示すように、カード発行機１の内部には、未使用カードに所定の記録を行ってカード発行口４ａよりカードを発行するカードリーダー部４の他、図示しないが、例えば多数の未使用カードを積み重ねてストックする複数のカードスタッカ（ホッパーカセット）を配設したカードスタッカ部と、各カードスタッカのカード供給部から未使用カードを取り出すカード取り出し移動機構と、未使用カードに所定の文字および記号などを刻むインデント／エンボス機構と、刻まれた文字および記号などに色付けするトッパー機構と、カード発行機１の全体を制御する制御部とを備えている。
【００２３】
カード発行機１は、上端部の開口部に装置蓋５が設けられたＸ方向に長い矩形箱状の機体６を有している。機体６のＸ方向の一側板には、リジェクトカード回収庫１１を機体外に取り出す取り出し口７を塞ぐ蓋体８が回動自在に設けられている。機体６のＸ方向の他側部内には、Ｘ方向に長い矩形箱状のカードリーダー部４が設けられている。カード発行口４ａは、機体６のＸ方向の他側板から外部に露出している。次に、図１、図２、図６から図９を参照して、リジェクトカード回収庫１１を詳細に説明する。
【００２４】
リジェクトカード回収庫１１は、図２に示すように例えば平面視して正方形のカセット本体１１Ａを有し、カード発行機１から排出されたリジェクトカードを収納するボックスである。カセット本体１１Ａの一側板には、リジェクトカード回収庫１１の把手１６付きの開閉蓋１７を開閉可能にキーロックする鍵１８が取り付けられている（図４参照）。
【００２５】
また、カセット本体１１Ａの上板１４のＸ方向他端側の中間部には、Ｘ方向に細長いカード投入口１１ａが形成されている。上板１４の内面には、カード投入口１１ａの周囲に、シャッタ１２のスライドガイド板２１が固着されている。上板１４のＸ方向一端部には、上板１４の内面に沿ってＸＹ平面内で回動するシャッタ１２の元部が回動ピン１２ａを介して軸支されている。このシャッタ１２は、平面視してＸ方向に長い短冊状の板である。シャッタ１２の先端部のロックレバー１３側寄りには、略逆Ｌ字形状のロック突起１２ｂを備えている。本実施形態の場合、ロック突起１２ｂはシャッタ１２と一体形成されている。ロック突起１２ｂは、その先端部１２ｃが開閉蓋１７側に比較的長く突出しているとともに、その元部１２ｄが若干だが側板１１ｄ側に突出している。また、先端部１２ｃの施錠方向の縁には、斜面１２ｅが設けられ、施錠動作時にロックレバー１３の通過用孔１３ｄをロック突起１２ｂが通過する際に掛止小片１３ｈと衝突する事態が起きても、斜面１２ｅを滑ることによって許容範囲内で僅かにロックレバー１３を退避させることで、ロック突起１２ｂを通過させ得るようにしている。
【００２６】
シャッタ１２の元部付近には、カセット本体１１Ａの外から操作可能なシャッタ開閉レバー１９が回転自在に連結されている。このシャッタ開閉レバー１９は、例えばカセット本体１１ＡのＹ方向一端の側板１１ｂの上端部に形成されたレバー孔１１ｃに先端部１９ｃが露出するように位置し、元部が回動ピン２２を介してシャッタ１２に軸支されている。シャッタ開閉レバー１９には、Ｙ方向に延びる長孔１９ａが形成されている。シャッタ開閉レバー１９は、長孔１９ａに遊挿された軸１９ｂを介して、上板１４に対してＹ方向にスライド自在に取り付けられている。本実施形態ではビスを軸１９ｂとして利用しているがこれに限られない。また、シャッタ開閉レバー１９のＸ方向のカード投入口１１ａ側には、シャッタ１２を常閉するＹ方向に細長いコイルばね２０が設けられている。コイルばね２０の一端部は、シャッタ１２の略長さ方向の中間部に固定され、他端部が上板１４のＹ方向の側板１１ｂ付近の内面に固定されている。
【００２７】
ロックレバー１３は、シャッタ１２をカセット本体１１Ａの内側からロックおよびロック解除するＸ方向に長い短冊状の板である。ロックレバー１３のＸ方向の両端部には、それぞれＸ方向に延びる短尺な長孔１３ａが形成されている。前後に配置された各長孔１３ａに遊挿された軸１３ｂを介して、このロックレバー１３は、カード投入口１１ａのＹ方向の一側縁に隣接した状態で、上板１４の内面に沿ってＸ方向に若干幅だけ移動可能になっている。このロックレバー１３は、Ｘ方向に延びる細長いコイルばね２３のばね力により、常時、Ｘ方向の他端側に付勢されている。カセット本体１１ＡのＸ方向の他端の側板１１ｄの上端部には、ロックレバー１３の先端の操作端１３ｇを露出させ、外から操作し得るレバー孔１１ｅが形成されている。
【００２８】
このロックレバー１３のＹ方向の両端には、それぞれ直角に折り曲げられた縁を有している。このうち、ロックレバー１３のカード投入口１１ａとは反対側の端部の縁は、ロックレバー１３の動きを規制する３本のキースライド板１５とそれぞれ当接する３つの当接片１３ｃを、ロックレバー１３のカード投入口１１ａ側の端からそれぞれＹ方向の距離を変えて、平面視して段差状に形成している。これらのＹ方向の距離は、一例としてシャッタ開閉レバー１９側の当接片１３ｃが最も短く、中間の当接片１３ｃが最も長く、側板１１ｄ側の当接片１３ｃが中間の長さとしてある。このように当接片１３ｃのＹ方向距離・位置を異ならせることにより、シリンダ錠のような複雑なキー構造とすることができる。隣接する当接片１３ｃの間には、後述するキースライド板１５のロック片１５ｃを遊挿可能な２つの溝部１３ｅが形成されている。
【００２９】
さらに、ロックレバー１３のカード投入口１１ａ側の側板１１ｄ寄りの縁には、前記シャッタ１２のロック突起１２ｂの施錠方向、解錠方向への移動を許容する通過用孔１３ｄが形成されている。この通過用孔１３ｄのシャッタ開閉レバー１９側の縁の近傍には、シャッタ１２がロック位置にある状態で、ロックレバー１３を操作せずにシャッタ１２を解錠方向へピン１２ａ回りに旋回させようとする時に、ロック突起１２ｂの先端部１２ｃが入り込み掛止される掛止凹部（ロック部分）１３ｈが設けられている。この掛止凹部１３ｈは例えばロックレバー１３の折り曲げられた縁に例えば切り欠きによって形成されている。また、通過用孔１３ｄのレバー孔１１ｅ側の端部には、ロックレバー１３をロック解除方向へ過剰に移動させた時に、ロック突起１２ｂの元部１２ｄに掛止される過剰移動掛止部（過剰移動掛止構造）１３ｆが形成されている。この過剰移動掛止部１３ｆは、機体６側に備えられているロック解除ピン３ａが当接するロックレバー１３の操作端１３ｇのシャッタ１２側の端部を直角にロック突起１２ｂ側へ折り曲げることによって構成されており、ロック解除ピン３ａの押動のみでは、過剰移動掛止部１３ｆは元部１２ｄとは係合しないように形成されている。
【００３０】
ロックレバー１３より側板１１ｂ側には、上板１４の内面に沿って、例えば３本のキースライド板１５がＹ方向にスライド自在に配設されている。各キースライド板１５はＹ方向に細長い板で、互いにＸ方向に所定間隔をあけて平行配置されている。各キースライド板１５には、そのＹ方向の両側部にそれぞれＹ方向に長孔１５ａが形成されている。これらの長孔１５ａに遊挿された軸１５ｂを介して、各キースライド板１５が上板１４にＹ方向に移動可能に配設されている。各キースライド板１５のシャッタ開閉レバー１９側の端部には、それぞれ直角に折り曲げられて成る縁を有している。リブを兼ねるこの折り曲げから成る縁のロックレバー１３側の端部には、折り曲げを利用してロック片１５ｃが一体形成されている。このロック片１５ｃは、ロックレバー１３の折り曲げ縁で構成されている当接片１３ｃと当接することにより、ロックレバー１３の動きを規制する。ロックレバー１３のロック時、このロックレバー１３をレバー孔１１ｅを介して外方から押しても、各当接片１３ｃが、それぞれ対応するロック片１５ｃに当接するので、ロック解除できない。
【００３１】
各キースライド板１５には、ロック片１５ｃと隣接させてロック解除凹部１５ｄが形成されている。このロック解除凹部１５ｄは、各スライド板１５をロック解除位置にスライドさせたときに対応する当接片１３ｃの延長線上に位置することにより、ロックレバー１３が押し込まれるときに当接片１３ｃが通過することを許容するものである。本実施形態の場合、ロック片１５ｃの手前（ロックレバー１３から離れる方向）側に、折り曲げられた縁の一部を切欠いて、ロック解除凹部１５ｄが形成されている。さらに、各キースライド板１５の先部の側板１１ｄ側には、突起１５ｅが一体形成されている。また、上板１４の内面のうち、各キースライド板１５の元部の側板１１ｄ側の近傍には、それぞれ短尺なビスから成る軸２４が固着されている。各突起１５ｅとそれに対応する軸２４との間には、常時、各キースライド板１５を側板１１ｂ側（ロックレバー１３のロック側）に付勢する細長いコイルばね２５が掛け渡されている。
【００３２】
次に、各キースライド板１５の他端部には、前記カード発行機１に内設されたキー２が当接されるガイドローラ１５ｆがそれぞれ軸支されている。このキー２は、平面視してＸ方向に延びるナイフ形状の板で、カード発行機１の機体６の所定部分に固定された取り付け板３の一端部に片持ち状態で支持されている。キー２の先端部のガイドローラ１５ｆ側の面には、各キースライド板１５を、ロックレバー１３のロック解除位置までそれぞれスライドさせるロック解除起伏部２ａが一体形成されている。取り付け板３はＹ方向に長い板で、そのキー２とは反対側の端部に、レバー孔１１ｅを介してロックレバー１３をカセット本体１１Ａ内に押し込む短尺なロック解除ピン（ロック解除体）３ａが突設されている。
【００３３】
次に、一実施形態のリジェクトカード回収庫のシャッタロック機構１０を有するカード発行機１の作動を説明する。
カード発行時には、まず図示しない指定されたホッパーカセットのいずれかのカード供給部から、カード取り出し移動機構により１枚の未使用カードが取り出され、その後、インデント／エンボス機構まで移動される。ここでは、未使用カードに所定文字および記号などが刻まれる。その後、このカード移動機構によってカードはトッパー機構に移動され、インデント／エンボス機構によって刻まれた文字および記号などの表面に、例えば銀色の色付けが施される。それから、カードはカード移動機構によりカードリーダ部に移動され、ここでカードに所定の記録を行い、カード発行口からカードが発行されることになる。
【００３４】
ところで、このようなカード発行に先駆け、機体６内にリジェクトカード回収庫１１がセットされる。以下、図６から図９を参照して、この一連のシャッタロック機構１０の動作を具体的に説明する。すなわち、蓋体８を開き、取り出し口７からリジェクトカード回収庫１１が機体内に挿入されると（図６）、まずキー２が、側板１１ｄの上部に形成されたキー孔１１ｆから、カセット本体１１Ａ内に侵入する（図７）。これにより、各キースライド板１５が、キー２のロック解除起伏部２ａの凹凸に合わせ、コイルばね２５のばね力に抗してロックレバー１３のロック解除位置までＹ方向に沿って押し込まれる。よって、３組の対応する当接片１３ｃとロック解除凹部１５ｄとがそれぞれ合致する。その結果、各キースライド板１５のロック解除凹部１５ｄを当接片１３ｃが通過してロックレバー１３が回収庫内へ押し込み可能となるロック解除状態とされる。
【００３５】
次に、機体６内へのリジェクトカード回収庫１１の挿入がさらに進むと、短尺なロック解除ピン３ａが、レバー孔１１ｅ内へ挿入されてロックレバー１３の操作端１３ｇを押してロックレバー１３をカセット本体１１Ａ内に押し込む（図８）。その結果、コイルばね２３のばね力に抗して、ロックレバー１３がシャッタ開閉レバー１９側に所定量（ピン３ａの高さ分）だけ移動する。これにより、ロック突起１２ｂの先端部１２ｃと掛止凹部１３ｈとがシャッタ１２の旋回方向と直交する方向においてずれて掛止凹部（ロック部分）１３ｈの位置から外れ、ロック突起１２ｂが通過用孔１３ｄと対峙する位置まで移動する。よって、シャッタ１２のロックレバー１３によるロック状態が解除される。その後、機体６の内部の所定位置にＸＹ平面内で回動可能なレバー操作フック２６が、カード発行機１の筐体中に設けられた別のカギに連動するように構成されたフック回動機構により、ピン２６ａを中心にして回動する（図９参照）。これにより、レバー操作フック２６の先端部が、レバー孔１１ｃ内へ挿入されて、シャッタ開閉レバー１９の先端部１９ｃに押し当てられ、シャッタ開閉レバー１９をカセット本体１１Ａ内に押し込む（Ｙ方向）。よってシャッタ１２が回動ピン１２ａを中心にして、スライドガイド板２１に沿って、水平面内で図８の矢印方向に回動し、カード投入口１１ａが開口される。
【００３６】
このように、カード投入口１１ａをシャッタ１２により開閉自在としたので、カード投入口１１ａからのリジェクトカードの盗難を防止することができる。しかも、シャッタ１２のシャッタロック機構１０として、シャッタ１２のロック突起１２ｂと、このロックレバー１３のロック操作用の３本のキースライド板１５と、各キースライド板１５をロック解除位置までスライドさせるキー２とを備えたものを採用したので、シャッタ１２のロック機構１０が複雑化し、このリジェクトカード回収庫１１のセキュリティ性を高めることができる。更に、所定の順序とストロークで全ての要素を動かしたときに始めてシャッタの解除を可能としているので、ロックを解除することは一層困難なものとなる。
【００３７】
また、この実施形態によれば、キー２にロック解除起伏部２ａを設けたので、リジェクトカード回収庫１１をカード発行機１にセットすると、キー２のロック解除起伏部２ａが作用して、各キースライド板１５をロックレバー１３のロック解除位置までそれぞれスライドさせることができる。これにより、簡素化された低コストな構造でロックレバー１３をロック解除し、シャッタ１２のロック状態を解除することができる。
【００３８】
さらに、ここでは、キー２とは異なる位置にロック解除ピン３ａを設けたので、キー２の形状とロック解除ピン３ａの長さとを変えれば、カード発行機１の納入先に応じたロック仕様を提供することができる。
【００３９】
また、この実施形態では、キー２によるロックレバー１３のロック解除後、キー２とは別個のロック解除ピン３ａにより突くことによって、ロックレバー１３をロック解除位置まで移動させなければシャッタ１２のロック状態を解除することができないように構成した。その結果、シャッタ１２のロック機構１０がより複雑化し、リジェクトカード回収庫１１のセキュリティ性をより高めることができる。
【００４０】
さらには、例えばリジェクトカード回収庫１１のピッキング時、キー孔１１ｆから挿入されたピッキング棒を操作して、仮にロックレバー１３のロック状態を解除しても、レバー孔１１ｅを通してのロックレバー１３の押し込みが過ぎると、過剰移動掛止部１３ｆがロック突起１２ｂの元部１２ｄに掛止されて、再びロックレバー１３がロック状態となる。これにより、ピッキングによるシャッタ１２のロック解除作業が複雑になり、リジェクトカード回収庫１１のセキュリティ性が高まる。
【００４１】
次に、図１０および図１１に基づき、本発明の他の実施形態を説明する。
【００４２】
この実施形態のリジェクトカード回収庫１１のシャッタロック機構３０は、故意にあるいは何らかの不都合により、シャッタ１２が閉じられない状態でリジェクトカード回収庫１１が機体６から取り外された場合にも、シャッタ１２が解放されたときにロックレバー１３の位置に関係なくシャッタ１２を閉じさせるようにしたものである。具体的には、ロックレバー１３に、シャッタ１２をロック可能な通常位置ａと、通常位置ａから所定角度だけ離間した退避位置ｂとの間で回動自在な回動掛止片（回動掛止部材）３１をＸＹ平面内で回動自在に設けたものである。ここで、キースライド板１５の数は本質的なものではなく、本実施形態では２本としているが、これに限られるものではない。
【００４３】
回動掛止片３１は、平面視して略Ｓの字形状をした短尺な板片で、その元部が、回動ピン３２を介して、ロックレバー１３の当接片１３ｃ付近に軸支されている。回動掛止片３１の先端部はロックレバー１３並びにシャッタ１２のロック突起１２ｂに向かって直角に折り曲げられており、この折曲部分の内側の面に、掛止凹部１３ｈが固着などにより設けられている。また、回動ピン３２には、回動掛止片３１を、常時、シャッタ１２のロック可能な通常位置ａに向かって付勢する巻きばね（復帰ばね）３３が外挿されている。巻きばね３３の一端部はロックレバー１３に掛止される一方、巻きばね３３の他端部は回動掛止片３１の元部に掛止されている。
【００４４】
上板１４の中央部の裏面には、コイルばね２０のばね力によりＸＹ平面内で回動するシャッタ１２を、カード投入口１１ａの閉口位置で停止させる回動規制片３４が取り付けられている。この回動規制片３４には、シャッタ１２の衝突時の衝撃を緩和する緩衝ゴム３５が固定されている。また、ロック突起１２ｂの先端部１２ｃには、シャッタ１２がロック位置に復帰するときに回動掛止片３１の先端の掛止凹部１３ｈと当接して、回動掛止片３１をばね３３の力に抗して図上時計回転方向に回転させる斜面１２ｅを備えている。
【００４５】
次に、この他の実施形態のシャッタロック機構３０の作動を説明する。
例えば、開蓋された取り出し口７からリジェクトカード回収庫１１を機体６の外に取り出す際、シャッタ１２が開いたカード投入口１１ａに、例えば指などを挿入してリジェクトカード回収庫１１を取り出すと、キー２がキー孔１１ｆから引き抜かれる。これにより、シャッタ１２がロック解除されたままで、ロックレバー１３がロック位置に戻る。
【００４６】
よって、掛止小片１３ｈが固定されている状態ならば、この状態のまま、指などをカード投入口１１ａから引き抜けば、シャッタ１２のロック突起１２ｂが、通過用孔１３ｄを通過して掛止凹部１３ｈの内側に入り込むことができずにロック突起１２ｂの外側の面に当接してロック解除状態が維持される。これにより、カード投入口１１ａからリジェクトカードを簡単に抜き出すことができる。しかしながら、この実施形態にあっては、ロックレバー１３に、巻きばね３３により付勢された回動掛止片３１が存在する。そのため、指などをカード投入口１１ａから外すと、図１０の矢印に示すようにコイルばね２０のばね力によりシャッタ１２がカード投入口１１ａの閉口位置に向かって回動する。このとき、シャッタ１２のロック突起１２ｂの幅広な先端部１２ｃの急角度の斜面１２ｅが、回動掛止片３１の先端部に当接し、そのときの押し当て力の分力により、巻きばね３３のばね力に抗して回動掛止片３１が回転し、いったん退避位置ｂへと退避する。ロック突起１２ｂの通過をかわした後、巻きばね３３のばね力により回動掛止片３１が再び通常位置ａまで復帰する。これにより、ロックレバー１３の掛止凹部１３ｈにロック突起１２ｂの先端部１２ｃが掛止され、シャッタ１２がロックレバー１３にロックされる。この際、シャッタ１２の中間部が緩衝ゴム３５に衝突し、シャッタ１２の回動が規制される。
【００４７】
このように、ロックレバー１３に回動掛止片３１を軸支し、ロックレバー１３と回動掛止片３１との間に巻きばね３３を設けたので、故意にシャッタ１２を開けた状態でリジェクトカード回収庫１１をカード発行機１から取り出しても、シャッタ１２の閉蓋障害が解除されると、その直後、自動的にシャッタ１２を閉じることができる。
【００４８】
その他の構成、作用および効果は、一実施形態から推測できる範囲であるので、説明を省略する。
【００４９】
なお、上述の実施形態は本発明の好適な実施の一例ではあるがこれに限定されるものではなく、本発明の要旨を逸脱しない範囲において種々変形実施可能である。例えば、キースライド板１５の総数を増減することで、セキュリティの高さとコストのバランスを取ることができる。また、キースライド板１５の総数やロック片１５ｃ、当接片１３ｃの形状を変えることで、キー２の配置や形状を変え、仕向先に応じた仕様とすることができる。
【００５０】
【発明の効果】
以上の説明より明らかなように、請求項１から５記載の発明にかかるリジェクトカード回収庫のシャッタロック機構によると、カード投入口をシャッタにより開閉自在としたので、カード投入口からのリジェクトカードの盗難を防止することができる。しかも、シャッタ部材のロック機構として、シャッタ部材のロック部材と、このロック部材のロック操作用の複数のキー側操作部材と、各キー側操作部材をロック解除位置までスライドさせるキー部材とを備えたものを採用したので、シャッタ部材のロック機構が複雑化し、このリジェクトカード回収庫のセキュリティ性を高めることができる。
【００５１】
また、請求項２記載の発明にかかるリジェクトカード回収庫のシャッタロック機構によると、キー部材にロック解除起伏部を設けたので、リジェクトカード回収庫をカード発行機にセットすると、キー部材のロック解除起伏部が作用して、各キー側操作部材をロック部材のロック解除位置までそれぞれスライドさせることができる。これにより、ロック部材がロック解除され、シャッタ部材のロック状態を解除することができる。
【００５２】
さらに、請求項３記載の発明にかかるリジェクトカード回収庫のシャッタロック機構によると、キー部材とは異なる位置にロック解除体を設けたので、キー部材とロック解除体との配置を変えれば、カード発行機側のキーの形状を変更することができる。これにより、カード発行機の納入先に応じた仕様を提供することができる。
【００５３】
また、キー部材によるロック部材のロック解除後、キー部材とは別個のロック解除体により、ロック部材をロック解除位置まで移動させなければシャッタ部材のロック状態を解除することができない。よって、シャッタ部材のロック機構がより複雑化し、リジェクトカード回収庫のセキュリティ性を高めることができる。
【００５４】
また、請求項４記載の発明にかかるリジェクトカード回収庫のシャッタロック機構によると、シャッタ部材とロック部材との間に、ロック部材のロック解除方向への過剰移動時に、ロック部材がシャッタ部材に掛止される過剰移動掛止構造が設けられているので、シャッタ部材のロックおよびロック解除機構がさらに複雑化し、リジェクトカード回収庫のセキュリティ性をさらに高めることができる。
【００５５】
とくに、請求項５記載の発明にかかるリジェクトカード回収庫のシャッタロック機構によると、ロック部材に回動掛止部材を軸支し、ロック部材と回動掛止部材との間に回動掛止部材の復帰ばねを設けたので、故意にシャッタ部材を開けた状態でリジェクトカード回収庫をカード発行機から取り出しても、シャッタ部材の閉蓋障害が解除されると、自動的にシャッタ部材を閉じることができる。
【図面の簡単な説明】
【図１】本発明のリジェクトカード回収庫のシャッタロック機構の一実施形態を示すリジェクトカード回収庫の一部拡大図を含むカセット本体のシャッタロック状態を下方から視た横断面図である。
【図２】リジェクトカード回収庫の外観を示す斜視図である。
【図３】本発明のリジェクトカード回収庫のシャッタロック機構が適用されたリジェクトカード回収庫がカード発行機にセットされた状態を示す側面図である。
【図４】本発明のリジェクトカード回収庫のシャッタロック機構が適用されたリジェクトカード回収庫がカード発行機にセットされた状態を示す平面図である。
【図５】本発明のリジェクトカード回収庫のシャッタロック機構が適用されたリジェクトカード回収庫がカード発行機にセットされた状態を背面方向から視た縦断面図である。
【図６】本発明のリジェクトカード回収庫のシャッタロック機構が適用されたリジェクトカード回収庫をカード発行機にセットする前の状態を示す横断面図である。
【図７】本発明のリジェクトカード回収庫のシャッタロック機構が適用されたリジェクトカード回収庫がカード発行機にセットされ、キースライド板が解除された状態を示す横断面図である。
【図８】本発明のリジェクトカード回収庫のシャッタロック機構が適用されたリジェクトカード回収庫がカード発行機にセットされ、ロックレバーがロック解除された状態を示す横断面図である。
【図９】本発明のリジェクトカード回収庫のシャッタロック機構が適用されたリジェクトカード回収庫がカード発行機にセットされ、シャッタがロック解除された状態を示す横断面図である。
【図１０】本発明のリジェクトカード回収庫のシャッタロック機構の他の実施形態を示すリジェクトカード回収庫のシャッタロック状態を下方から視た横断面図である。
【図１１】本発明のリジェクトカード回収庫のシャッタロック機構の他の実施形態を示すリジェクトカード回収庫のシャッタロックの途中状態を下方から視た横断面図である。
【符号の説明】
１　カード発行機
２　キー（キー部材）
２ａ　ロック解除起伏部
３　ロックレバー解除ピン（ロック解除体）
１０、３０　リジェクトカード回収庫のシャッタロック機構
１１　リジェクトカード回収庫
１１ａ　カード投入口
１２　シャッタ（シャッタ部材）
１３　ロックレバー（ロック部材）
１３ｈ　掛止凹部（ロック部）
１３ｆ　過剰移動掛止部
１５　キースライド板（キー側操作部材）
３１　回動掛止片（回動掛止部材）
３３　巻きばね（復帰ばね
２３　過剰移動掛止構造
ａ　通常位置
ｂ　退避位置
【図１】
2004044249.tif 000003
【図２】
2004044249.tif 000004
【図３】
2004044249.tif 000005
【図４】
2004044249.tif 000006
【図５】
2004044249.tif 000007
【図６】
2004044249.tif 000008
【図７】
2004044249.tif 000009
【図８】
2004044249.tif 000010
【図９】
2004044249.tif 000011
【図１０】
2004044249.tif 000012
【図１１】
2004044249.tif 000013